(57)【要約】【課題】あるドキュメントを読んだとき、何について書かれているのか理解できないことがある。その原因の一つに未知語の存在がある。未知語の多くは、新語である。自動でドキュメントから新語を抽出し、その新語に関連する情報を例えばインターネットなどから収集してきて表示させることで、ドキュメントを理解するための補助資料を自動で作成することを目的とする。【解決手段】単語とその単語の出現日情報を格納した辞書と、ドキュメントから単語を抽出する手段と、その抽出した単語を先の辞書に参照させる手段と、参照した結果新語であるかどうか判断する手段と、判断された新語をキーに例えばインターネットなどへ検索する手段と、その検索した結果を取得する手段と、その取得した情報を表示する手段を併せ持つ情報検索手段。【選択図】        図１
2004157897.tif 000002
【特許請求の範囲】
【請求項１】
単語とその単語の出現日情報を格納した辞書と、ドキュメントから単語を抽出する手段と、その抽出した単語を先の辞書に参照させる手段と、参照した結果新語であるかどうか判断する手段と、判断された新語をキーに例えばインターネットなどへ検索する手段と、その検索した結果を取得する手段と、その取得した情報を表示する手段を併せ持ち、あるドキュメントの補足資料を自動で収集、表示することを可能にする手段。
【請求項２】
請求項の１の手段においてドキュメント内に存在する新語ではなく、ドキュメントを理解するために必要なキーワードを自動で抽出し、その抽出したキーワードに関連する情報を検索、取得し、表示することを特徴とする手段。
【請求項３】
請求項の１の手段において、新語の新しさの度合いについて自由に替えられることを特徴とする手段。
【請求項４】
請求項１又は２の手段により、ドキュメントから抽出されたキーワードが複数の語義をもつ単語であった場合は、その単語の存在しているドキュメントの内容に合致した単語をキーワードとすることを特徴とする手段。
【請求項５】
請求項１又は２の手段により、検索し、取得された情報を要約や分類してから表示することを特徴とする手段。
【請求項６】
請求項５の手段において、分類、要約をする際にユーザの嗜好に合わせた観点や量等などを任意に、指定できることを可能にする手段。
【請求項７】
上記の手段により、検索してきた情報の表示方法をユーザが任意に指定できることを可能にする手段。
【発明の詳細な説明】
【０００１】
【発明の属する技術分野】
本発明は、あるドキュメントが存在したとき、そのドキュメントを理解するために必要な別資料を自動で収集、表示することにより、ドキュメントの理解度を格段に高めることを可能にするものである。あるドキュメントを読んでも何について書かれているのかわからないことがある。その理由の一つに未知語がある。意味のわからない語がドキュメントの中に使われているので何について書かれているのか理解できない。未知語の多くは、新語である。そこで、ドキュメントの中に存在する新語を自動的に抽出し、その語に関係する情報を収集してくることで、理解できなかったドキュメントの補助資料を自動的に作成することで、ドキュメントに対する理解を深めさせ、業務がスムーズに進むよう取り計らう。
【０００２】
【従来の技術】
例えば会社を長い期間休んだあと出社すると、いったい何について書かれたものなのかまったく理解不能の回覧が回ってきたりする。理解不能の理由の一つに未知の言葉がある。未知語が存在すると何について書かれているのかわからず、そこで思考がストップしてしまうのだ。そしてその未知語の多くが「新語」である。従来は、このような単語が存在した場合、その言葉に関して作成者に問い合わせるか、または、その言葉はどういう意味なのか自分で調べるしかなく手段はなく、それは非常に労力のかかることであったために、わからないままにしておくことも多かった。
【０００３】
【発明が解決しようとする課題】
本発明は、上記の従来の技術が持っていた問題を解決するものである。つまり、ドキュメントを理解しようとするとき、未知の単語があってはその支障となる。未知の単語の多くは新語である。そこで、ドキュメントに存在する「新語」を抽出し、その「新語」に関する情報を収集したものを補助資料として作成し、先のドキュメントに添付することで、ドキュメントの対する理解を格段にアップさせる。
【０００４】
【課題を解決するための手段】
本発明にかかる情報検索手段は以上のような課題を解決した次のようなものである。
【０００５】
本発明は、まず、単語とその単語が出現した日の対応情報を格納した辞書のようなものを用意しておく。その辞書は、インターネットなどと連動しており、インターネット上に新語が現れるたびに、その単語と単語の出現日情報が自動で辞書に登録されていく。また、一方、ドキュメントの中から単語を切り出す手段をもち、その切り出された単語と、単語と単語の出現日情報を格納してある辞書に存在する単語を比較する手段をもち、比較した結果切り出した単語の出現日が最近のものであったならばその単語を新語と選定し、その新語に関する情報を例えばインターネットなどから収集してくる手段をもっている。
【０００６】
［作用］
本発明にかかる情報検索手段によれば、理解不能なドキュメントがあったとき、そのドキュメントに含まれている「新語」を自動的に抽出し、その「新語」をキーにしてそれに関連のある情報を収集し、表示することにより、理解不能だったドキュメントを理解する為の補助資料となるものを自動的に作成する。このことによって意味不明の未知語を一掃し、非常に快適なドキュメントを読む環境を提供することが可能になる。
【０００７】
【発明の実施の形態】
以下、本発明に係わる一実施例について詳細に説明する。
【０００８】
図１は、本発明にかかる新語情報検索方式の概念図である。１０１は、辞書を置ける共有サーバなどを示し、１０２は、単語とその出現日の対応情報を格納した辞書を示す。この辞書は例えばインターネットと連動しており、新語がインターネット上に登場するごとに逐次更新されている。１０３は、ドキュメントの中から単語を切り出し、抽出するところであり、１０４では、その抽出された単語を１０２の単語と出現日の対応情報をもったＢＤに存在する単語を参照し、ドキュメントに存在する単語から最新の単語を選定するところであり、１０５は、１０４で選定された最新単語を元に、例えばインターネットなどを対象に情報収集を行い、１０６でそれら収集した情報を取得し、１０７でその結果を表示する。
【０００９】
図２は、本発明に必要な、単語とその出現日の対応情報を格納した辞書の説明図である。２０１に単語情報、２０２に出現日情報を格納している。この辞書は、例えば２０３に示すようなインターネットなどと連動しており、インターネット上で新語が登場するたびに自動で逐次更新されていくタイプの辞書である。
【００１０】
図３は、本発明に処理の流れを示した説明図である。３０１で、処理開始。３０２で、まず、ドキュメントを読み込む。３０３でそのドキュメントに存在するテキスト部から単語情報の抽出処理を行う。単語情報の抽出ができたら３０４へ行き、単語と単語の出現日情報を格納している辞書を参照し、できなかったら３１０へ分岐し処理を終了する。３０５では、３０４で辞書を参照した結果、ドキュメントから抽出した単語が辞書上に存在する単語かどうか判断する。辞書上に存在する単語であるならば、３０６へ行き、更にその単語が最新の単語かどうかを判断する。辞書に存在しなければ３０９へ行き処理終了する。３０６で、最新の単語と判断されたら、３０７へ行き例えばインターネットなどからその最新の単語に関する情報を収集し、３０８でその情報を取得し、３０９でその結果を表示する。３０６で最新の単語と判断されなければ３１０へ行き、処理を終了する。
【００１１】
図４は、図３で示した処理の流れをより具体的に示した図である。「ＥＴＣ」の設置を伝える回覧が回ってきたとする。しかし、「ＥＴＣ」とは何のことか解らないのでこの文書の内容がまったく理解できない。まず４０２でこのドキュメントを読み込み、４０３でテキスト部から単語を抽出する。４０３では「ＥＴＣが設置されました」という文章がドキュメント中にあったので４０３’で「ＥＴＣ」と「設置」という単語を抽出する。４０４へ行き「ＥＴＣ」と「設置」という単語が、４１１の単語と単語の出現日の対応情報を格納した辞書に存在するかチェックするために辞書を参照する。４０５において、辞書に存在かどうかチェックし、存在することがわかった。
【００１２】
更に４０６へ行き「ＥＴＣ」と「設置」という単語が最新の単語かどうか判断する。その結果「ＥＴＣ」という単語は出現日が２００１年の１月１日では最新の単語であるということがわかり、「設置」はそうでないことがわかった。そこで４０７へ行き「ＥＴＣ」をキーに情報を検索し、４０８でそれらの情報を収集してきて、４０９で「ＥＴＣとは有料道路自動料金収受システムのことであり……．」というドキュメントが表示され、「ＥＴＣ」とは何であるのか理解できた。
【００１３】
【発明の効果】
以上説明したように本発明によれば、従来の情報検索技術が持っていた問題を解決して、ドキュメントを理解するための補助資料を自動で作成することができる。
【図面の簡単な説明】
【図１】本発明にかかる情報検索方式の概念図。
【図２】本発明にかかる「単語情報」とその「出現日」情報を格納してある辞書の説明図。
【図３】本発明にかかる情報検索方式の説明図。
【図４】本発明にかかる情報検索方式の様子を具体的に説明した図。
【符号の説明】
１０１…辞書の保管部
１０２…単語情報と出現日の対応を示す辞書
１０３…単語抽出部
１０４…最新単語選定部
１０５…情報収集部
１０６…情報取得部
１０７…収集結果表示部
２０１…単語情報格納部
２０２…単語出現日情報格納部
２０３…インターネットなど
３０１…処理開始部
３０２…ドキュメント読込み部
３０３…単語が存在するか判定部
３０４…辞書参照部
３０５…ドキュメントに存在した単語が辞書にも存在するか判定部
３０６…新語かどうかの判定部
３０７…新語情報収集部
３０８…新語情報取得部
３０９…新語情報表示部
３１０…処理終了部
３１１…単語とその出現日の対応情報を格納した辞書
４０１…処理開始部
４０２…「ＥＴＣについてのお知らせ」ドキュメントを読み込む
４０３…ドキュメント中に単語が存在するか判定部
４０３’…ドキュメント中から「ＥＴＣ」「設置」などの単語を抽出
４０４…辞書参照部
４０５…辞書に存在する単語か判定部
４０５’…「ＥＴＣ」「設置」は辞書に存在する
４０６…新語かどうか判定部
４０６’…「ＥＴＣ」が最新単語として選定
４０７…「ＥＴＣ」をキーに検索開始
４０８…「ＥＴＣ」について書かれた文書取得「ＥＴＣとは有料道路自動料金収受システムのことであり・・・」というドキュメントを取得
４０９…「ＥＴＣ」について書かれた文書表示「ＥＴＣとは有料道路自動料金収受システムのことであり・・・」というドキュメント表示
４１０…処理終了
４１１…単語とその出現日の対応情報を格納した辞書
【図１】
2004157897.tif 000003
【図２】
2004157897.tif 000004
【図３】
2004157897.tif 000005
【図４】
2004157897.tif 000006